(57)【要約】【課題】様々な種類の通信光可視化アダプタに取り付けることが可能な通信光検知器を提供する。【解決手段】光取出孔２００に対向すると共に受光素子１０３が搭載された底面１０４を有し、底面１０４が第１の通信光可視化アダプタ３００に適合する形状に形成された検知器本体１０１と、底面１０４に対向する表面１１５と、光取出孔２００に対向する裏面１１６と、表面１１５から裏面１１６に向けて受光素子１０３を露出させるように表面１１５と裏面１１６とを貫通して形成された貫通孔１１７と、を有し、表面１１５が底面１０４に適合する形状に形成されると共に裏面１１６が第２の通信光可視化アダプタ４００に適合する形状に形成されたアタッチメント１０２と、を備える通信光検知器１００である。【選択図】図１
2015166823.tif 000002
【特許請求の範囲】
【請求項１】
光取出孔が形成された通信光可視化アダプタに着脱自在に取り付けられ、前記通信光可視化アダプタを介して伝送されている通信光の一部が取り出されてなる漏洩光を前記光取出孔を通じて受光して前記通信光可視化アダプタを介して前記通信光が伝送されているか否かを検知するための通信光検知器において、
前記光取出孔に対向すると共に前記受光素子が搭載された底面を有し、前記底面が第１の通信光可視化アダプタに適合する形状に形成された検知器本体と、
前記底面に対向する表面と、前記光取出孔に対向する裏面と、前記表面から前記裏面に向けて前記受光素子を露出させるように前記表面と裏面とを貫通して形成された貫通孔と、を有し、前記表面が前記底面に適合する形状に形成されると共に前記裏面が第２の通信光可視化アダプタに適合する形状に形成されたアタッチメントと、
を備えることを特徴とする通信光検知器。
【請求項２】
前記検知器本体は、前記底面に配置された第１の磁石を有し、
前記アタッチメントは、前記表面に配置された第２の磁石を有し、
前記検知器本体と前記アタッチメントは、前記第１の磁石と前記第２の磁石とを介して着脱自在に結合される請求項１に記載の通信光検知器。
【請求項３】
前記検知器本体は、前記底面に形成された位置調整棒を有し、
前記アタッチメントは、前記表面から前記裏面に向けて前記位置調整棒を露出させないように前記位置調整棒が収容される収容孔を有する請求項１又は２に記載の通信光検知器。
【請求項４】
前記位置調整棒は、前記検知器本体の中心からズレた位置に形成される請求項３に記載の通信光検知器。
【発明の詳細な説明】
【技術分野】
【０００１】
本発明は、通信光を可視化して光伝送路の使用／不使用の状態を目視で確認するための通信光検知器に関する。
【背景技術】
【０００２】
光通信関連設備では、光伝送路の健全性を監視したり、人為的なコネクタの誤抜を防止したりするために、不可視光領域にある通信光を可視化して光伝送路の使用／不使用の状態（以下、通信状態という）を目視で確認している。
【０００３】
光伝送路の通信状態を目視で確認する際には、光取出孔が形成されたアダプタ（以下、通信光可視化アダプタという）に着脱自在に取り付けられ、通信光可視化アダプタを介して伝送されている通信光の一部が取り出されてなる漏洩光を光取出孔を通じて受光して通信光可視化アダプタを介して通信光が伝送されているか否かを検知し、更に人間が目視で確認することができる形態で光伝送路の通信状態を出力するための通信光検知器が使用されている（例えば、特許文献１から特許文献４を参照）。
【先行技術文献】
【特許文献】
【０００４】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【発明の概要】
【発明が解決しようとする課題】
【０００５】
ところで、光通信関連設備では、ＳＣコネクタやＬＣコネクタ等に代表される様々な種類のコネクタが使用されていることから、これらのコネクタを接続するための通信光可視化アダプタとしても、ＳＣアダプタやＬＣアダプタ等の様々な種類のアダプタが採用されている。
【０００６】
しかしながら、従来技術に係る通信光検知器は、例えば、ＳＣアダプタからなる通信光可視化アダプタのみ、又はＬＣアダプタからなる通信光可視化アダプタのみというように、特定の種類の通信光可視化アダプタのみに適合する形状に形成されているため、その種類の分だけ通信光検知器を準備する必要があり、通信光可視化を実現する際にコストを増加させる原因となっている。
【０００７】
そこで、本発明の目的は、様々な種類の通信光可視化アダプタに取り付けることが可能な通信光検知器を提供することにある。
【課題を解決するための手段】
【０００８】
この目的を達成するために創案された本発明は、光取出孔が形成された通信光可視化アダプタに着脱自在に取り付けられ、前記通信光可視化アダプタを介して伝送されている通信光の一部が取り出されてなる漏洩光を前記光取出孔を通じて受光して前記通信光可視化アダプタを介して前記通信光が伝送されているか否かを検知するための通信光検知器において、前記光取出孔に対向すると共に前記受光素子が搭載された底面を有し、前記底面が第１の通信光可視化アダプタに適合する形状に形成された検知器本体と、前記底面に対向する表面と、前記光取出孔に対向する裏面と、前記表面から前記裏面に向けて前記受光素子を露出させるように前記表面と裏面とを貫通して形成された貫通孔と、を有し、前記表面が前記底面に適合する形状に形成されると共に前記裏面が第２の通信光可視化アダプタに適合する形状に形成されたアタッチメントと、を備える通信光検知器である。
【０００９】
前記検知器本体は、前記底面に配置された第１の磁石を有し、前記アタッチメントは、前記表面に配置された第２の磁石を有し、前記検知器本体と前記アタッチメントは、前記第１の磁石と前記第２の磁石とを介して着脱自在に結合されると良い。
【００１０】
前記検知器本体は、前記底面に形成された位置調整棒を有し、前記アタッチメントは、前記表面から前記裏面に向けて前記位置調整棒を露出させないように前記位置調整棒が収容される収容孔を有すると良い。
【００１１】
前記位置調整棒は、前記検知器本体の中心からズレた位置に形成されると良い。
【発明の効果】
【００１２】
本発明によれば、様々な種類の通信光可視化アダプタに取り付けることが可能な通信光検知器を提供することができる。
【図面の簡単な説明】
【００１３】
【図１】本発明に係る通信光検知器を示す斜視図であって、ＬＣコネクタに取り付ける際の通信光検知器を示す斜視図である。
【図２】本発明に係る通信光検知器を示す斜視図であって、ＳＣコネクタに取り付ける際の通信光検知器を示す斜視図である。
【図３】本発明に係る通信光検知器を示す斜視図であって、斜め上方から見たときの通信光検知器を示す斜視図である。
【図４】本発明に係る通信光検知器を示す斜視図であって、斜め下方から見たときの通信光検知器を示す斜視図である。
【図５】本発明に係る通信光検知器を示す底面図であって、ＬＣコネクタに取り付ける際の通信光検知器を示す底面図である。
【図６】本発明に係る通信光検知器を示す背面図であって、ＳＣコネクタに取り付ける際の通信光検知器を示す背面図である。
【図７】本発明に係る通信光検知器を示す底面図であって、ＳＣコネクタに取り付ける際の通信光検知器を示す底面図である。
【発明を実施するための形態】
【００１４】
以下、本発明の好適な実施の形態を添付図面にしたがって説明する。
【００１５】
図１及び図２に示すように、本発明の好適な実施の形態に係る通信光検知器１００は、光取出孔２００が形成された第１の通信光可視化アダプタ３００又は第２の通信光可視化アダプタ４００に着脱自在に取り付けられ、第１の通信光可視化アダプタ３００又は第２の通信光可視化アダプタ４００を介して伝送されている通信光の一部が取り出されてなる漏洩光を光取出孔２００を通じて受光して第１の通信光可視化アダプタ３００又は第２の通信光可視化アダプタ４００を介して通信光が伝送されているか否かを検知するためのものである。
【００１６】
ここでは、一例として、第１の通信光可視化アダプタ３００がＬＣアダプタからなり、第２の通信光可視化アダプタ４００がＳＣアダプタからなる形態について説明するが、第１の通信光可視化アダプタ３００及び／又は第２の通信光可視化アダプタ４００がその他の種類のアダプタからなる形態としても構わない。
【００１７】
なお、第１の通信光可視化アダプタ３００及び第２の通信光可視化アダプタ４００についての説明は本発明の主旨から逸れるため、本明細書では詳細な説明を避ける。
【００１８】
ここで、漏洩光とは、光伝送路で伝送されている通信光の一部が光伝送路の途中に形成されている光取出部を通じて光伝送路の外部に取り出されてなる光を意味している。
【００１９】
光取出部としては、従来より知られている軸ズレ部等を採用することができるが、光取出部についての説明は本発明の主旨から逸れるため、本明細書では詳細な説明を避ける。
【００２０】
図３及び図４に示すように、通信光検知器１００は、検知器本体１０１と、アタッチメント１０２と、を備えている。
【００２１】
検知器本体１０１は、光取出孔２００に対向すると共に受光素子１０３が搭載された底面１０４を有しており、底面１０４が第１の通信光可視化アダプタ３００に適合する形状に形成されている。
【００２２】
受光素子１０３は、先端部が底面１０４から垂直方向に突出されており、通信光検知器１００を第１の通信光可視化アダプタ３００又は第２の通信光可視化アダプタ４００に着脱自在に取り付けたときに、その突出された先端部が光取出孔２００に収容されるようになっている。
【００２３】
これにより、通信光検知器１００を第１の通信光可視化アダプタ３００又は第２の通信光可視化アダプタ４００に着脱自在に取り付けたときに、受光素子１０３が漏洩光以外の光から遮光されることになるため、受光素子１０３で漏洩光のみを確実に受光することができ、光伝送路の通信状態をより正確に確認することが可能となる。
【００２４】
受光素子１０３が搭載される底面１０４には、受光素子１０３が収容される中空筒形状の載置部１０５が形成されている。載置部１０５は、外形が真円形状では無く、光取出孔２００の形状に適合するように異形状に形成されている。
【００２５】
これにより、通信光検知器１００を第１の通信光可視化アダプタ３００又は第２の通信光可視化アダプタ４００に着脱自在に取り付けたときに、通信光検知器１００が第１の通信光可視化アダプタ３００又は第２の通信光可視化アダプタ４００に対して回転せず、受光素子１０３の位置ズレが発生し難いため、光伝送路の通信状態をより安定して確認することが可能となる。
【００２６】
この検知器本体１０１は、底面１０４が第１の通信光可視化アダプタ３００に適合する形状に形成されているため、検知器本体１０１を第１の通信光可視化アダプタ３００に着脱自在に取り付けることができ、第１の通信光可視化アダプタ３００を介して伝送されている通信光の一部が取り出されてなる漏洩光を光取出孔２００を通じて受光して第１の通信光可視化アダプタ３００を介して通信光が伝送されているか否かを検知することが可能となる。
【００２７】
また、検知器本体１０１は、底面１０４に配置された第１の磁石１０６と、底面１０４に形成されると共に第１の通信光可視化アダプタ３００が搭載されたモジュールに形成されている位置調整孔に挿入される位置調整棒１０７と、人間が目視で確認することができる形態で光伝送路の通信状態を出力する表示部１０８と、電源をオン／オフするためのスイッチ１０９と、ストラップを取り付けるための取付部１１０と、有している。
【００２８】
なお、位置調整孔は、第１の通信光可視化アダプタ３００が搭載されたモジュールのみに形成されており、第２の通信光可視化アダプタ４００が搭載されたモジュールには形成されていないため、通信光検知器１００を第２の通信光可視化アダプタ４００に取り付けようとしても、位置調整棒１０７が干渉して取り付けることができないようになっている。
【００２９】
位置調整棒１０７は、図５に示すように、検知器本体１０１の中心からズレた位置に形成されている。そのため、通信光検知器１００を位置調整孔の無い第２の通信光可視化アダプタ４００が搭載されたモジュールに取り付けようとしたときに通信光検知器１００が転倒し、作業者に取り付けが間違っていることを知らせることができる。
【００３０】
表示部１０８は、光伝送路が使用されているときに点灯されると共に光伝送路が使用されていないときに消灯される第１の表示灯１１１と、光伝送路が使用されているときに消灯されると共に光伝送路が使用されていないときに点灯される第２の表示灯１１２と、を有している。
【００３１】
なお、表示部１０８は、例えば、光伝送路が使用されているときに点灯すると共に光伝送路が使用されていないときに消灯する表示灯や光伝送路の通信状態を表示する液晶画面からなるものとしても構わない。
【００３２】
スイッチ１０９は、通信光検知器１００に搭載された電池等から表示部１０８等に電力を供給するか否かを切り替えるものである。
【００３３】
取付部１１０は、作業者による通信光検知器１００の持ち運びを容易にするためのものである。
【００３４】
また、検知器本体１０１には、図６に示すように、電池の交換を容易にするためにネジ等の締結部材１１３により開閉することができる蓋部１１４が取り付けられている。
【００３５】
アタッチメント１０２は、底面１０４に対向する表面１１５と、光取出孔２００に対向する裏面１１６と、表面１１５から裏面１１６に向けて受光素子１０３を露出させるように表面１１５と裏面１１６とを貫通して形成された貫通孔１１７と、を有しており、表面１１５が底面１０４に適合する形状に形成されると共に裏面１１６が第２の通信光可視化アダプタ４００に適合する形状に形成されている。
【００３６】
表面１１５には、検知器本体１０１をアタッチメント１０２の所定の位置に案内する案内部１１８が形成されている。そのため、検知器本体１０１をアタッチメント１０２に対して正確に位置調整することができ、また検知器本体１０１をアタッチメント１０２に取り付けたときのガタツキを防止することができる。
【００３７】
裏面１１６には、検知器本体１０１を第２の通信光可視化アダプタ４００に取り付けたときに、第２の通信光可視化アダプタ４００を挟持すると共に受光素子１０３を光取出孔２００に対して位置調整する二対の位置調整脚１１９が形成されている。
【００３８】
これにより、通信光検知器１００の第１の通信光可視化アダプタ３００に対する位置調整と第２の通信光可視化アダプタ４００に対する位置調整とを位置調整棒１０７又は位置調整脚１１９という別の手段により行うことができる。
【００３９】
貫通孔１１７は、図７に示すように、受光素子１０３と載置部１０５とが通過することができるように、これらよりも十分に大きな大きさに形成されている。
【００４０】
このアタッチメント１０２は、裏面１１６が第２の通信光可視化アダプタ４００に適合する形状に形成されているため、アタッチメント１０２を介して検知器本体１０１を第２の通信光可視化アダプタ４００に着脱自在に取り付けることができ、第２の通信光可視化アダプタ４００を介して伝送されている通信光の一部が取り出されてなる漏洩光を光取出孔２００を通じて受光して第２の通信光可視化アダプタ４００を介して通信光が伝送されているか否かを検知することも可能となる。
【００４１】
また、アタッチメント１０２は、表面１１５に配置された第２の磁石１２０と、表面１１５から裏面１１６に向けて位置調整棒１０７を露出させないように位置調整棒１０７が収容される収容孔１２１と、を有している。
【００４２】
第２の磁石１２０は、第１の磁石１０６と対になっており、検知器本体１０１とアタッチメント１０２は、第１の磁石１０６と第２の磁石１２０とを介して着脱自在に結合されている。そのため、検知器本体１０１とアタッチメント１０２との結合と解除とを容易に行うことができる。
【００４３】
収容孔１２１は、位置調整棒１０７を全長に亘って収容することができるように十分に深く形成されている。即ち、アタッチメント１０２は、位置調整棒１０７の全長よりも大きい厚さを有している必要がある。
【００４４】
これまで説明してきたように、本発明の好適な実施の形態に係る通信光検知器１００によれば、アタッチメント１０２を使用することにより、様々な種類の通信光可視化アダプタに取り付けることが可能な通信光検知器１００を提供することができる。
【００４５】
また、様々な種類の通信光可視化アダプタに適合した形状を呈している複数のアタッチメント１０２を使用することにより、通信光検知器１００を二種類以上の通信光可視化アダプタに取り付けることが可能となる。
【符号の説明】
【００４６】
１００  通信光検知器
１０１  検知器本体
１０２  アタッチメント
１０３  受光素子
１０４  底面
１０５  載置部
１０６  第１の磁石
１０７  位置調整棒
１０８  表示部
１０９  スイッチ
１１０  取付部
１１１  第１の表示灯
１１２  第２の表示灯
１１３  締結部材
１１４  蓋部
１１５  表面
１１６  裏面
１１７  貫通孔
１１８  案内部
１１９  位置調整脚
１２０  第２の磁石
１２１  収容孔
２００  光取出孔
３００  第１の通信光可視化アダプタ
４００  第２の通信光可視化アダプタ
【図１】
2015166823.tif 000003
【図２】
2015166823.tif 000004
【図３】
2015166823.tif 000005
【図４】
2015166823.tif 000006
【図５】
2015166823.tif 000007
【図６】
2015166823.tif 000008
【図７】
2015166823.tif 000009